(57)【要約】  【課題】汎用性に優れた化粧部材を提供する。  【解決手段】化粧部材15は、建物１の外面部のうちサッシ縦枠７およびガイド枠11間に位置する部分を覆うものである。化粧部材15は、略長方形状の本体板部16と、本体板部16にこの本体板部16の端縁方向に沿って互いに間隔をおいて平行に形成した折曲げ可能な複数の折曲げ部17とを備える。  【選択図】図１
2006112122.tif 000002
【特許請求の範囲】
【請求項１】
本体板部と、
この本体板部に互いに間隔をおいて平行に形成された折曲げ可能な複数の折曲げ部と
を備えることを特徴とする化粧部材。
【請求項２】
建物の外面部のうち第１開閉装置用枠体および第２開閉装置用枠体間に位置する部分を覆う化粧部材であって、
略長方形状の本体板部と、
この本体板部にこの本体板部の端縁方向に沿って互いに間隔をおいて平行に形成された折曲げ可能な複数の折曲げ部と
を備えることを特徴とする化粧部材。
【発明の詳細な説明】
【技術分野】
【０００１】
本発明は、汎用性に優れた化粧部材に関するものである。
【背景技術】
【０００２】
例えば窓シャッタ等のシャッタ装置を後付けした場合、建物の外面部のうちサッシ装置のサッシ縦枠およびシャッタ装置のガイド枠間に位置する部分が露出することがある（例えば、特許文献１参照）。そして、従来では、その建物の外面部の露出部分を覆い隠すために、現場ごとに異なる形状の化粧部材を工場で製作し、その製作した化粧部材を対応する現場に運んで建物の外面部に取り付けていた。
【特許文献１】実開平２−１４３４９９号公報（第１図）
【発明の開示】
【発明が解決しようとする課題】
【０００３】
しかしながら、上記従来のように現場ごとに異なる形状の化粧部材を工場で製作するのでは、製作されたある形状の化粧部材は対応する現場でしか使用できない場合があり、汎用性に欠ける問題がある。
【０００４】
本発明は、このような点に鑑みなされたもので、汎用性に優れた化粧部材を提供することを目的とする。
【課題を解決するための手段】
【０００５】
請求項１記載の化粧部材は、本体板部と、この本体板部に互いに間隔をおいて平行に形成された折曲げ可能な複数の折曲げ部とを備えるものである。
【０００６】
そして、本体板部に互いに間隔をおいて平行に形成された折曲げ可能な複数の折曲げ部を備えるため、各現場に対応可能であり、汎用性に優れている。
【０００７】
請求項２記載の化粧部材は、建物の外面部のうち第１開閉装置用枠体および第２開閉装置用枠体間に位置する部分を覆う化粧部材であって、略長方形状の本体板部と、この本体板部にこの本体板部の端縁方向に沿って互いに間隔をおいて平行に形成された折曲げ可能な複数の折曲げ部とを備えるものである。
【０００８】
そして、本体板部に互いに間隔をおいて平行に形成された折曲げ可能な複数の折曲げ部を備えるため、各現場に対応可能であり、汎用性に優れている。
【発明の効果】
【０００９】
本発明によれば、本体板部に互いに間隔をおいて平行に形成された折曲げ可能な複数の折曲げ部を備えるため、各現場に対応でき、汎用性に優れている。
【発明を実施するための最良の形態】
【００１０】
本発明の化粧部材の一実施の形態を図面を参照して説明する。
【００１１】
図１において、１は例えば鉄筋コンクリート構造（ＲＣ造）の住宅等の建物で、この建物１は略矩形状の窓開口部等の開口部２を備え、この開口部２は内側（室内側）の第１開閉装置であるサッシ装置３と外側（室外側）の第２開閉装置であるシャッタ装置４とにて開閉可能となっている。
【００１２】
サッシ装置３は、建物１に固着された略矩形環状のサッシ枠体６と、このサッシ枠体６に左右方向に移動可能に取り付けられた複数の戸体（図示せず）とを備えている。サッシ枠体６は、所定距離を介して互いに離間対向した上下方向長手状の左右一対の第１開閉装置用枠体であるサッシ縦枠７を有し、両サッシ縦枠７の下端部相互が左右方向長手状のサッシ下枠８にて連結され、両サッシ縦枠７の上端部相互が左右方向長手状のサッシ上枠（図示せず）にて連結されている。
【００１３】
シャッタ装置４は、例えば後付けタイプのもので、建物１の施工後に建物１に対して取付け可能な構成となっている。
【００１４】
シャッタ装置４は、所定距離を介して互いに離間対向した上下方向長手状の左右一対の第２開閉装置用枠体であるガイド枠11を備え、両ガイド枠11の下端部相互が左右方向長手状のシャッタ下枠12にて連結されている。各ガイド枠11は、開閉体であるシャッタカーテン（図示せず）の昇降時にそのシャッタカーテンを開口部２に向って開口したコ字状のガイド部13で案内するものである。なお、シャッタ装置４は、図示しないが、まぐさ、シャッタボックス、このシャッタボックス内に回転可能に配設されシャッタカーテンを巻き取る巻取軸等を備えている。
【００１５】
そして、建物１の外面部（例えばモルタル或いはタイル等にて構成された外壁の外面部）のうちサッシ縦枠７およびガイド枠11間に位置する部分が、変形可能な化粧部材（変形可能化粧枠部材）15にて覆われている。
【００１６】
この化粧部材15は、図２に示すように、例えば合成樹脂にて一体に構成された１枚板状のもので、変形前の状態で略長方形状である略矩形状の本体板部16と、この本体板部16にこの本体板部16の一の端縁方向（図２中、上下方向）に沿って互いに等間隔をおいて平行に形成された直線状の折曲げ可能な複数（例えば７つ）の折曲げ部17とを備えている。すなわち、互いに等間隔をおいて平行に位置する略Ｖ字状の複数の溝部18が本体板部16に形成され、各溝部18の溝底部分が薄板状の折曲げ部17となっている。
【００１７】
そして、図１に示されるように、化粧部材15は、所望位置の折曲げ部17の折曲げにより所望形状に変形した状態で、建物１およびガイド枠11に対してねじ等の固定具（図示せず）にて固定され、この固定された所望形状の化粧部材15にて建物１の外面部のうちサッシ縦枠７およびガイド枠11間に位置する部分が覆われている。なお、化粧部材15の縦横寸法が必要以上に大きい場合には、カッタ等の切断具を用いて現場で適宜カットすればよい。
【００１８】
このように、化粧部材15を所望位置の折曲げ部17の折曲げにより所望形状に変形した状態にして建物１およびガイド枠11に対して固定することによって、建物１の外面部のうちサッシ縦枠７およびガイド枠11間に位置する露出部分を化粧部材15で適切に覆うことができるため、この変形可能な化粧部材15は、各現場に対応でき、汎用性に優れている。すなわち各現場に対応した化粧部材が不要となり、現場ごとに異なる形状の化粧部材を工場で製作する必要がない。
【００１９】
なお、図３に示すように、本体板部16に折曲げ部17を形成した変形可能な化粧部材15を用いて、建物１の外面部のうちサッシ下枠（第１開閉装置用枠体）８およびシャッタ下枠（第２開閉装置用枠体）12間に位置する部分を覆うこともできる。
【００２０】
また、図示しないが、化粧部材15を用いて建物１の外面部のうちサッシ上枠（第１開閉装置用枠体）およびシャッタ装置４のまぐさ（第２開閉装置用枠体）間に位置する部分を覆うようにしてもよい。
【００２１】
さらに、例えば部品点数が少なくなるように、化粧部材15とガイド枠11とを一体化し、化粧部材15が開閉体を案内するガイド枠部を有するようにしてもよい。
【００２２】
また、化粧部材15の隣合う折曲げ部17間の間隙は一定でなくてもよく、また本体板部16の板厚も一定でなくてもよい。
【００２３】
さらに、本体板部16に平行に形成された折曲げ可能な複数の折曲げ部17の方向は、縦方向であっても横方向であっても斜め方向であってもよく、またこれにさらに別方向へ形成した折曲げ部17を加えてもよい。例えば図示しないが、化粧部材15は、本体板部16の一の端縁方向（縦方向）に沿って互いに等間隔をおいて平行に形成された直線状の折曲げ可能な複数の折曲げ部17と、本体板部16の一の端縁方向と直交する他の端縁方向（横方向）に沿って互いに等間隔をおいて平行に形成された直線状の折曲げ可能な複数の折曲げ部17とを備えたもの等でもよい。
【００２４】
さらに、第１開閉装置がサッシ装置３で、第２開閉装置がシャッタ装置４である場合には限定されず、各開閉装置は、シャッタ装置、サッシ装置、扉装置、引戸装置、雨戸装置、ブラインド装置、スライディングウォール装置、スクリーン装置、網戸装置、ガラリ装置、防煙垂れ幕装置、防煙垂れ壁装置、防潮板装置、オーニング装置等、或いはこれら装置のうちの同種または異種を複数並設したもの等でもよい。
【図面の簡単な説明】
【００２５】
【図１】本発明の化粧部材でサッシ縦枠およびガイド枠間の露出部分を覆った状態を示す横断面図である。
【図２】同上化粧部材の斜視図である。
【図３】本発明の化粧部材でサッシ下枠およびシャッタ下枠間の露出部分を覆った状態を示す横断面図である。
【符号の説明】
【００２６】
１    建物
７    第１開閉装置用枠体であるサッシ縦枠
８    第１開閉装置用枠体であるサッシ下枠
11    第２開閉装置用枠体であるガイド枠
12    第２開閉装置用枠体であるシャッタ下枠
15    化粧部材
16    本体板部
17    折曲げ部
【図１】
2006112122.tif 000003
【図２】
2006112122.tif 000004
【図３】
2006112122.tif 000005